(57)【特許請求の範囲】
【請求項１】
少なくとも内部に収容部を有するとともに、該収容部へのアプローチを規制する規制部材とを有する複数の什器は各々什器ユニットを備え、該什器ユニットは、規制部材の開放を抑止する施解錠手段と、リモート端末から発信される指令信号を非接触にて受信し得る非接触通信手段と、前記非接触通信手段における指令信号の受信に基づいて前記施解錠手段の施解錠を実施する制御を行う制御手段とを備え、前記制御手段は、各什器に固有に付与された什器識別符号を記憶する記憶部を有すると共に、解錠或いは施錠が許諾された許諾者のリモート端末に予め該リモート端末を特定し得るように付与された端末識別符号を登録できる解錠許諾端末記憶部を備え、前記指令信号とともに前記リモート端末より送信されてくる前記什器識別符号と前記記憶部に記憶されている什器識別符号とを比較すると共に、リモート端末より送信されてくる端末識別符号を解錠許諾端末記憶部に登録されている端末識別符号とを比較し、それらの比較が一致した場合において前記解錠制御或いは施錠制御を実施することを特徴とする遠隔施解錠機能付き什器。
【請求項２】
前記制御手段は、前記解錠制御或いは施錠制御を実施した場合において、該施錠或いは解錠に関する情報を、前記非接触通信手段を介して各什器の施錠管理を行う管理装置に送信する制御を行なう請求項１に記載の遠隔施解錠機能付き什器。
【請求項３】
前記施錠或いは解錠に関する情報は、指令信号を送信した前記リモート端末の端末識別符号を含む請求項１または２に記載の遠隔施解錠機能付き什器。
【請求項４】
前記什器ユニットは機械的構造の鍵を挿入可能な鍵受付部を有し、該鍵受付部に鍵を挿入して操作することにより前記施解錠手段の現状の施解錠状態を強制的に変更できるようになっている請求項１〜３に記載の遠隔施解錠機能付き什器。
【請求項５】
前記什器ユニットは前記施解錠手段により施解錠状態を報知する状態報知部を備える請求項１〜４のいずれかに記載の遠隔施解錠機能付き什器。
【請求項６】
前記什器ユニットは施解錠手段や非接触通信手段並びに制御手段の動作に必要な電力を蓄える蓄電手段を備える請求項１〜５のいずれかに記載の遠隔施解錠機能付き什器。
【請求項７】
前記非接触通信手段による非接触通信が、所定周波数の電磁波を用いた無線通信である請求項１〜６のいずれかに記載の遠隔施解錠機能付き什器。
【発明の詳細な説明】
【０００１】
【発明の属する技術の分野】
本発明は、施錠することが可能な什器に係り、特にメカニカルで煩雑な作業を省略して、これら什器の解錠を可能とした遠隔施解錠機能付き什器に関する。
【０００２】
【従来の技術】
従来、施錠することが可能な什器の解錠方法としては、その什器の鍵をもって什器に出向き、鍵を鍵穴に差し込んで解錠することにより実施されている。
【０００３】
【発明が解決しようとする課題】
このように什器の解錠に際しては、鍵を持参するとともに、その鍵を鍵穴に差し込んで解錠操作を実施する必要があり、什器に荷物や書類を収納する際には、これら荷物を持った状態にて前記解錠操作を行うことになるため、これら解錠操作が行い難いばかりか、鍵を什器に持参する必要があることから、これら鍵等が紛失し易いという問題があった。
【０００４】
よって、本発明は上記した問題点に着目してなされたもので、従来のように個別の鍵等を什器に持参することなく、且つ鍵穴に鍵を差し込む等の解錠操作を行うことなく什器の解錠を実施することのできる遠隔施解錠機能付き什器を提供することを目的としている。
【０００５】
【課題を解決するための手段】
前記した問題を解決するために、本発明の遠隔施解錠機能付き什器は、少なくとも内部に収容部を有するとともに、該収容部へのアプローチを規制する規制部材とを有する複数の什器は各々什器ユニットを備え、該什器ユニットは、規制部材の開放を抑止する施解錠手段と、リモート端末から発信される指令信号を非接触にて受信し得る非接触通信手段と、前記非接触通信手段における指令信号の受信に基づいて前記施解錠手段の施解錠を実施する制御を行う制御手段とを備え、前記制御手段は、各什器に固有に付与された什器識別符号を記憶する記憶部を有すると共に、解錠或いは施錠が許諾された許諾者のリモート端末に予め該リモート端末を特定し得るように付与された端末識別符号を登録できる解錠許諾端末記憶部を備え、前記指令信号とともに前記リモート端末より送信されてくる前記什器識別符号と前記記憶部に記憶されている什器識別符号とを比較すると共に、リモート端末より送信されてくる端末識別符号を解錠許諾端末記憶部に登録されている端末識別符号とを比較し、それらの比較が一致した場合において前記解錠制御或いは施錠制御を実施することを特徴としている。
この特徴によれば、前記リモート端末から指令信号が送信されることで、該指令信号が前記非接触通信手段にて受信されて、前記制御手段により該指令信号の受信に基づいて施解錠手段の施解錠制御が実施されるようになるため、リモート端末を用いて解錠のみならず、施錠を遠隔にて行うことができる。そして複数の什器が並列設置されている場合においても、リモート端末より送信された什器識別符号に合致する什器の制御手段のみが前記解錠制御或いは施錠制御を実施するようになるため、所望の什器のみの解錠又は施錠を実施することができる。更に複数の什器が並列設置されている場合においても、リモート端末より送信された什器識別符号に合致する什器の制御手段のみが前記解錠制御或いは施錠制御を実施するようになるため、所望の什器のみの解錠又は施錠を実施することができる。
【０００９】
本発明の遠隔施解錠機能付き什器は、前記制御手段は、前記解錠制御或いは施錠制御を実施した場合において、該施錠或いは解錠に関する情報を、前記非接触通信手段を介して各什器の施錠管理を行う管理装置に送信する制御を行なうことが好ましい。
このようにすれば、前記管理装置にて各什器の施解錠の履歴を把握することができる。
【００１０】
本発明の遠隔施解錠機能付き什器は、前記施錠或いは解錠に関する情報は、指令信号を送信した前記リモート端末の端末識別符号を含むことが好ましい。
このようにすれば、前記管理装置にて各什器の施解錠を指示したリモート端末を特定することができる。
【００１１】
本発明の遠隔施解錠機能付き什器は、前記什器ユニットは機械的構造の鍵を挿入可能な鍵受付部を有し、該鍵受付部に鍵を挿入して操作することにより前記施解錠手段の現状の施解錠状態を強制的に変更できるようになっていることが好ましい。
このようにすれば、前記制御手段に不具合等が生じても、鍵を用いて施解錠を実施することができる。
【００１２】
本発明の遠隔施解錠機能付き什器は、前記什器ユニットは前記施解錠手段により施解錠状態を報知する状態報知部を備えることが好ましい。
このようにすれば、什器の施解錠状態を遠方からでも簡便に把握することができる。
【００１３】
本発明の遠隔施解錠機能付き什器は、前記什器ユニットは施解錠手段や非接触通信手段並びに制御手段の動作に必要な電力を蓄える蓄電手段を備えることが好ましい。
このようにすれば、電力供給用の配線を架設する必要がなく、什器の設置やレイアウトの変更を容易に実施できる。
【００１４】
本発明の遠隔施解錠機能付き什器は、前記非接触通信手段による非接触通信が、所定周波数の電磁波を用いた無線通信であることが好ましい。
このようにすれば、無線通信は指向性を有しないため、什器の配置やレイアウトの自由度を向上できる。
【００１５】
【発明の実施の形態】
以下、図面に基づいて本発明の実施形態を説明する。
【００１６】
（実施例）
図１は、本実施例の遠隔施解錠機能付き什器を用いた什器解錠システムが導入されたオフィスを示す図であり、図２は、本実施例の什器解錠システムの構成を示す図であり、図３は、本実施例の遠隔施解錠機能付き什器である書庫に設けられた什器ユニット２を示す外観図であり、図４は、本実施例の什器ユニット２の構成を示すブロック図であり、図５並びに図６は、本実施例において用いた第１のリモート端末としての無線通信装置３の外観並びに構成を示すブロック図であり、図７並びに図８は、前記本実施例において用いた第２のリモート端末としてのリモコンの外観図並びに構成を示すブロック図である。
【００１７】
まず、本実施例の什器解錠システムは、図１に示すように、遠隔施解錠機能付き什器として書庫１を用いたシステムとされており、これら遠隔施解錠機能付き什器である書庫１が、オフィスを囲むように、並設配置されている。
【００１８】
本実施例の什器解錠システムが適用されたオフィス内には、各事務机毎に１台のコンピュータ５が設置されているとともに、これら各コンピュータ５はイーサネットケーブル６と図示しないスイッチハブとを介してＩＥＥＥ８０２.３／１００ｂａｓｅＴの通信規格により双方向のデータ通信可能に接続され、ローカルエリアネットワーク（ＬＡＮ）が形成されている。
【００１９】
また、前記ローカルエリアネットワーク（ＬＡＮ）には、各書庫１に設けられている各什器ユニット２と微弱電波による双方向の無線データ通信を行う無線通信装置３が接続されているとともに、各書庫１に設けられている各什器ユニット２への施解錠許諾者の登録や登録削除等の管理を行うための管理（ユーティリティ）プログラムが組み込まれた管理コンピュータ４が接続されており、各コンピュータ５や管理コンピュータ４から前記無線通信装置３にアクセスすることで、図１０に示すように該無線通信装置３から配信される施解錠画面上において所定の内容を入力することで、各コンピュータ５や管理コンピュータ４にて所望の書庫１の解錠を実施することができるようになっており、これらコンピュータ５や管理コンピュータ４にて第１のリモート端末である無線通信装置３の送信操作手段が形成されている。
【００２０】
また、本実施例では、図２に示すように、前記各事務机毎に設けられたコンピュータ５や管理コンピュータ４の他に、前記各書庫１の各什器ユニット２と微弱電波による無線データ通信を行って、予め施解錠許諾者のリモート端末として登録されている各什器ユニット２の施解錠が可能なリモコン８も使用できるようになっており、後述するように、各什器ユニット２の携帯電話装着部２３（図３参照）に装着不能な携帯電話の所持者や、携帯電話の不所持者には該リモコン８が貸与されて、該リモコン８を使用して書庫１の施解錠を実施できるようになっている。
【００２１】
まず、本実施例に用いた遠隔施解錠機能付き什器である書庫１並びに該書庫１に設けられている前記什器ユニット２について説明すると、書庫の内部は書類等を収納可能な収納部（図示略）とされており、該収納部を塞ぐようにその前面が開閉自在とされた規制部材としての開閉扉１’が設けられていて、該開閉扉１’の枢支辺と対向する開放辺の略中央位置には、図３に示すような什器ユニットが設けられている。
【００２２】
この本実施例に用いた什器ユニット２の前面には、解錠ランプ２４と施錠ランプ２５とが設けられており、前記コンピュータ５やリモコン８等からの解錠信号の送信によって解錠ランプ２４が点灯されている状態において、取手２１に手をかけて手前に引くことで、開閉扉１’を開くことができるようになっている。
【００２３】
また、本実施例においては、什器ユニット２の不具合や電池切れ等によりコンピュータ５やリモコン８等による解錠不可となっても解錠を実施できるようにするために、シリンダ鍵による施解錠を実施可能とするためのシリンダ鍵挿入部２２が設けられている。
【００２４】
また、前記解錠ランプ２４と施錠ランプ２５の下部位置には、携帯電話７を装着するための携帯電話装着部２３が設けられており、該携帯電話装着部２３に予め什器ユニット２に登録されている施解錠許諾者が、自分の携帯電話７を装着することにより、携帯電話の電話番号による照合が実施されて解錠が実施されるようになっている。
【００２５】
この什器ユニット２の内部には、図４に示すように、前記解錠ランプ２４と施錠ランプ２５に加えて、その内部に電磁ソレノイド（図示略）を有し、該電磁ソレノイドを付勢することにより係止片の出没を実施して施錠／解錠を行う施錠ユニット２８と、前記無線通信装置３や前記リモコン８との微弱電波による双方向の無線データ通信を行うための非接触通信手段であるブルートゥースユニット２６と、該ブルートゥースユニット２６における前記無線通信装置３や前記リモコン８からの解錠指示や施錠指示の受信に基づいて前記施錠ユニット２８の施解錠の制御を行うとともに、不揮発性の内部メモリ２７’に登録されている解錠許諾登録者が携行する第２のリモート端末であるリモコン８の端末識別符号としてのブルートゥースユニットＩＤ（ＢＴ−ＩＤ）並びに携帯電話番号の照合等の処理を行う制御手段としての制御マイコン（ＭＰＵ）２７と、前記携帯電話装着部２３内部に設けられ、携帯電話７の下部位置に設けられた外部接続コネクタ（図示略）と嵌合することで、前記制御マイコン（ＭＰＵ）２７と携帯電話７とのデータの授受が可能となる接続コネクタ２９と、充電が可能な２次電池３０と、が設けられている。
【００２６】
このように、本実施例の什器ユニット２には２次電池が搭載されていて、各部の付勢を該２次電池にて実施するようになっているとともに、前記接続コネクタ２９の電源ピンに２次電池が接続されていて、携帯電話７を前記携帯電話装着部２３に装着する毎に２次電池に充電が実施されるようになっている。また、夜間等に携帯電話に類似した形状の専用のバッテリーパック（図示略）を前記携帯電話装着部２３に装着することで、前記２次電池への充電を実施できるようになっており、このようにすることは、書庫１の設置において電源線等の架設を必要としないことから設置やレイアウト変更を容易とすることができることから好ましいが、本発明はこれに限定されるものではなく、電源線を架設して各什器ユニット２に給電するようにしても良い。
【００２７】
また、本実施例では前記のように、非接触通信手段として２.４ＧＨｚ帯の微弱電波による双方向の無線データ通信を実施可能なブルートゥースユニット２６を用いており、該ブルートゥースユニット２６には各ブルートゥースユニットに固有のブルートゥースユニットＩＤ（ＢＴ−ＩＤ）が内部ＲＯＭ２６’に登録されていて、互いのブルートゥースユニット同士にてブルートゥースユニットＩＤ（ＢＴ−ＩＤ）を交換し合うことで、送信データにブルートゥースユニットＩＤ（ＢＴ−ＩＤ）を付加することにより、所望のブルートゥースユニットとのみデータの送受信ができるようになっている。
【００２８】
このように、微弱無線を用いて非接触通信を行うようにすることは、ダイポールアンテナ等を用いることで電波の放射方向があらゆる平面方向にほぼ均質に出力することができ、指向性を有しないようにできることから、書庫１や前記無線通信装置３の配置位置や前記リモコン８の現在位置等を向き或いはレイアウトを気にすることなく実施でき、配置の自由度を向上できることから好ましいとともに、電波出力の小さな微弱電波によるピコセルを形成することで、必要以上に大きなセルが形成されて、他の部署の什器や書庫を認識してしまう等の問題を排除できるようになることから好ましいが、本発明はこれに限定されるものではなく、これら非接触通信としては、赤外線等の電波以外の非接触通信方式を使用しても良い。
【００２９】
また、本実施例では、電波出力を微弱にするとともに、電波の送受信モジュールを前記リモコン８に搭載するために小型のものとする必要があり、これら送受信モジュールの各種アナログデバイスがチップ化されて小型のモジュールとして入手可能であることから、２.４ＧＨｚ帯を使用するブルートゥース方式を用いているが、本発明はこれに限定されるものではなく、これら使用する無線の帯域や方式等は適宜に選択すれば良い。
【００３０】
このブルートゥースユニット２６は、図４に示すように、アンテナコイル２０並びに前記制御マイコン（ＭＰＵ）２７に接続されており、該ブルートゥースユニット２６にて受信された電波の復調データが制御マイコン（ＭＰＵ）２７に出力されるとともに、該制御マイコン（ＭＰＵ）２７からブルートゥースユニット２６に出力されたデータが、変調されて所定のプロトコルに基づいて送信されるようになっている。
【００３１】
この制御マイコン（ＭＰＵ）２７の内部には、前記記憶部並びに解錠許諾端末記憶部としての不揮発性の内部メモリ２７’が搭載されていて、該内部メモリ２７’には、該制御マイコン（ＭＰＵ）２７が実施する各種の制御プログラムが記憶されているとともに、施解錠許諾者が所持する端末の識別符号（端末ＩＤ）、具体的には、全ての書庫１の解錠が可能な前記無線通信装置３のＢＴ−ＩＤ（後述する特別ＩＤも含む）や、施解錠許諾者の携帯電話の電話番号や施解錠許諾者のリモコン８のＢＴ−ＩＤが登録されるとともに、接続されている前記ブルートゥースユニット２６の内部ＲＯＭ２６’に登録されているＢＴ−ＩＤも、什器識別符号である自局ＩＤとして登録するようになっており、前記記憶部が該内部メモリ２７’にて形成されている。
【００３２】
また、本実施例では前述のように、シリンダ鍵挿入部２２を設け、該シリンダ鍵挿入部２２に対応するシリンダ錠を挿入して解錠操作を行うことで、前記施錠ユニット２８における解錠を実施できるようになっており、このようにシリンダ錠によっても施解錠可能とすることは、什器ユニット２の不具合や前記２次電池３０の電池切れ等により施解錠が不能となっても、施解錠を実施できることから好ましいが、本発明はこれに限定されるものではない。
【００３３】
次いで、これら各書庫１に設けられた前記什器ユニット２と微弱電波による双方向の無線通信を行う第１のリモート端末である前記無線通信装置３について説明すると、本実施例の無線通信装置３は、図５に示すように、その上部にダイポールアンテナ３２を備える箱状の筐体３１を有し、その前面には、各種の通信状況や稼働状況等が表示される情報表示部３３と各種インジケータランプ３４が設けられているとともに、該筐体３１の背面には前記イーサネットケーブル６が接続されていて、無線通信装置３が前記ローカルエリアネットワーク（ＬＡＮ）を介して各コンピュータ５並びに管理コンピュータ４とデータ通信可能に接続されている。
【００３４】
この筐体３１の内部には、図６に示すように、前記各種インジケータランプ３４を点灯駆動するためのドライバ４１と、前記イーサネットケーブル６を介して各コンピュータ５並びに管理コンピュータ４とデータ通信をＩＥＥＥ８０２．３／１００ｂａｓｅＴの通信規格により実施するための通信部３８と、前記情報表示部３３を構成する液晶パネル３５並びに該液晶パネル３５の表示制御を行う液晶ドライバ３６と、前記ダイポールアンテナ３２に接続されて前記各書庫１の什器ユニット２に搭載されている各ブルートゥースユニット２６と、微弱電波による双方向の無線通信を行うブルートゥースユニット３７と、その時点の日付並びに時刻情報を出力可能なリアルタイムクロック（ＲＴＣ）４３と、これら各部に接続され、前記ＬＡＮにて接続されているコンピュータ５や管理コンピュータ４へ後述する施錠設定画面や施解錠指示画面並びに解錠履歴画面を配信する各種配信処理や、解錠や施錠指示を受け付けて指示された書庫１のブルートゥースユニット２６に対して所定の施錠或いは解錠指示を含む送信データを送信する送信処理や、各什器ユニット２より送信されてくる解錠又は施錠履歴を受信してその什器番号（鍵番号）に対応付けてその時刻並びに施解錠方法を履歴登録する履歴収集処理を行う制御手段としての制御マイコン（ＭＰＵ）４０と、該制御マイコン（ＭＰＵ）４０が各種処理に使用可能なＲＡＭ３９と、前記施錠設定画面にて受け付けた各種設定内容や収集した施解錠履歴等のデータが記憶される不揮発性のＥＥＰＲＯＭ４２と、が設けられている。
【００３５】
また、前記ブルートゥースユニット３７には、前記什器ユニット２内部に搭載されているブルートゥースユニット２６と同様に、その内部にブルートゥースユニットＩＤ（ＢＴ−ＩＤ）が記憶されている内部ＲＯＭ３７’が設けられており、各什器ユニット２のブルートゥースユニット２６への送信時には、該ブルートゥースユニットＩＤ（ＢＴ−ＩＤ）が送信データに付加されて送信されるとともに、前記制御マイコン（ＭＰＵ）４０の内部には、該制御マイコン（ＭＰＵ）４０が実行可能なオペレーションシステム（ＯＳ）プログラムであるリナックス（Ｌｉｎｕｘ）と該ＯＳ上にて動作可能な制御プログラムが記憶された内部ＲＯＭ４０’が設けられている。
【００３６】
このように、本実施例では無線通信装置３がサーバ機能を有するリナックス（Ｌｉｎｕｘ）ＯＳを搭載していることにより、ＬＡＮ接続されている各コンピュータ５から該無線通信装置３にアクセスすることで、図１０に示すような施解錠指示画面が配信され、該画面にて施解錠したい書庫（什器）の番号や自分が所有する携帯電話の番号と暗証番号とを入力することで各机毎に設置されたコンピュータ５から、つまり利用者は自分に割り当てられたコンピュータ５から施解錠操作を実施できるようになっており、これら各コンピュータ５（管理コンピュータ４を含む）にて第１のリモート端末である無線通信装置３の操作手段が形成されている。
【００３７】
また、前記管理コンピュータ４のみには、前記無線通信装置３における各種設定を実施するための管理（ユーティリティ）プログラムがインストールされており、該ユーティリティプログラムを起動して無線通信装置３にアクセスすることにより、図９に示す施錠設定画面が配信され、該画面上において、各書庫１毎の施解錠許諾者の登録内容の確認や、現在の施解錠の状況等を確認できるとともに、該画面下部に設けられている「新規登録」や「登録変更」を選択することで、新規許諾者の登録並びに既に登録されている許諾者の登録内容の変更や削除を実施できるようになっている。
【００３８】
次いで、第２のリモート端末である前記リモコン８を図７並びに図８を用いて説明すると、本実施例に用いたリモコン８は、図７に示すような略前方後円状で比較的小型且つ薄型の樹脂筐体８１を用いることで携行を可能としているとともに、その上面には施錠ボタン８２と解錠ボタン８３とが設けられている。
【００３９】
この樹脂筐体８１の内部には、図８に示すように、各書庫１の前記什器ユニット２に搭載されているブルートゥースユニット２６との無線通信を行うためのブルートゥースユニット８４と、該ブルートゥースユニット８４に接続されたコイルアンテナ８７が内蔵されており、該ブルートゥースユニット８４には、該ブルートゥースユニット８４に固有に付与されたブルートゥースユニットＩＤ（ＢＴ−ＩＤ）を記憶する内部ＲＯＭ８４’が設けられていて、該ブルートゥースユニットＩＤ（ＢＴ−ＩＤ）が送信データに付与されて送信される。
【００４０】
また、このブルートゥースユニット８４にはコントローラ８５が接続されており、該コントローラ８５が前記施錠ボタン８２或いは解錠ボタン８３が操作されることにより、該操作に基づく施錠指示又は解錠指示の送信要求を前記ブルートゥースユニット８４に出力することで、該施錠コマンド或いは解錠コマンドにブルートゥースユニットＩＤ（ＢＴ−ＩＤ）が付加されてブルートゥースユニット８４にてコイルアンテナ８７から送信される。
【００４１】
尚、図８中の８６は、前記ブルートゥースユニット８４並びにコントローラ８５を付勢するための蓄電手段であるボタン電池であり、該ボタン電池８６は交換可能とされている。
【００４２】
以下、本実施例の什器解錠システムの運用状況について以下に説明する。まず、本実施例の什器解錠システムでは、前記管理コンピュータ４において前記ユーテリティプログラムを起動して前記無線通信装置３にアクセスし、図９に示す施錠設定画面を表示させる。
【００４３】
次いで、該画面の下部に設けられている「鍵検索」の選択操作部を入力することで、前記無線通信装置３からは前記ユーティリティプログラムに予め登録されている全ての什器ユニット２のブルートゥースユニット２６との交信を可能とする特別ＩＤが送信されることで、該特別ＩＤを受信した各ブルートゥースユニット２６から該ブルートゥースユニット２６のブルートゥースユニットＩＤ（ＢＴ−ＩＤ）が返信されるようになっており、該無線通信装置３が交信可能な範囲に存在する全ての什器ユニット２のブルートゥースユニット２６からブルートゥースユニットＩＤ（ＢＴ−ＩＤ）を入手していき、入手した各ブルートゥースユニットＩＤ（ＢＴ−ＩＤ）を鍵番号１、鍵番号２…と順次登録していく。
【００４４】
次いで、各鍵番号に対応する「呼び出し」を選択入力することで、前記無線通信装置３からは、送信先（什器）ＩＤとして選択入力された鍵番号に該当するブルートゥースユニットＩＤ（ＢＴ−ＩＤ）と、送信元（端末）ＩＤとしては前記特別ＩＤと、コマンドとして呼び出しコマンドとが、図１２に示すような送信デ一夕パケットとして構成されて送信されることで、送信先（什器）ＩＤに合致するブルートゥースユニットＩＤ（ＢＴ−ＩＤ）が付与されたブルートゥースユニット２６を有する什器ユニット２の解錠ランプ２４と施錠ランプ２５が点滅点灯されるようになっており、これら点滅点灯により、選択した鍵番号の書庫１が設置されている全ての書庫１の内、どの書庫１であるかを確認することができるようになっているとともに、設置されている全ての書庫１が登録されているか、不必要な書庫１が登録されていなかを把握、確認することができるようになっている。
【００４５】
この際、未登録の書庫１が存在する場合には、電波が届いていないことが考えられることから、前記無線通信装置３の配置位置やロケーションを変更して再度「鍵検索」を実施していき、不必要な書庫１が登録されている場合には「削除」を選択して登録を削除する。
【００４６】
このようにして全ての書庫１の登録が完了した後、各書庫１を解錠することのできる施解錠許諾者を各書庫毎（鍵番号毎）に登録していく。これら登録に際しては、本実施例では、前記什器ユニット２の携帯電話装着部２３に装着が可能な携帯電話７を所有する許諾者の場合は、該許諾者の氏名とともに該許諾者の携帯電話７の電話番号と暗証番号を登録し、前記什器ユニット２の携帯電話装着部２３に装着が可能な携帯電話７を所有しない許諾者の場合は、前記リモコン８を貸与し、該リモコン８に搭載されているブルートゥースユニット８４のブルートゥースユニットＩＤ（ＢＴ−ＩＤ）を登録する。
【００４７】
これら全ての登録が完了して「終了」を選択すると、該設定内容が前記無線通信装置３のＥＥＰＲＯＭ４２に登録されるとともに、各鍵番号に対応付けて登録されているブルートゥースユニットＩＤ（ＢＴ−ＩＤ）が付与されたブルートゥースユニット２６に対して登録された端末識別符号である携帯電話番号とリモコン８に搭載されているブルートゥースユニット８４のブルートゥースユニットＩＤ（ＢＴ−ＩＤ）とが送信されて、該送信された携帯電話番号とブルートゥースユニットＩＤ（ＢＴ−ＩＤ）とが前記内部メモリ２７’に登録されることで、施解錠許諾者が自分が所持する携帯電話７やリモコン８を使用して許諾された書庫１の什器ユニット２の解錠／施錠を実施できるようになる。
【００４８】
まず、リモコン８にて施解錠を実施する場合について説明すると、施錠する場合には前記施錠ボタン８２を抑圧操作し、解錠したい場合には前記解錠ボタン８３を抑圧操作する。
【００４９】
該操作に基づいて、該リモコン８に搭載されているブルートゥースユニット８４からは、図１２に示すような送信データパケットが送信され、該送信データは受信可能範囲にある全ての什器ユニット２により受信される。尚、リモコン８からの送信データパケットにおいては、送信先（什器）ＩＤのデータには「０１０１……」の不定データが付与されていて、送信先（什器）は特定しないようになっている。
【００５０】
これら送信データを受信した什器ユニット２の前記制御マイコン（ＭＰＵ）２７が実施する制御動作を、図１３の処理フローに基づいて説明すると、該送信データの受信はステップＳ２にて検出されてＳ３へ進んで前記送信データ中の送信先（什器）ＩＤの抽出を行う。
【００５１】
次いで、Ｓ４に進んで該抽出した送信先（什器）ＩＤが前記内部メモリ２７’に登録されている自局のブルートゥースユニットＩＤ（ＢＴ−ＩＤ）と一致するかの判断が実施される。この際、前記リモコン８からの送信の場合には、送信先（什器）ＩＤとして前記不定データが送信されてくることから、比較が一致することはなく、一義的にＳ５へ進んで送信元（端末）ＩＤの抽出を行う。
【００５２】
該抽出した送信元（端末）ＩＤが前記内部メモリ２７’に登録されている施解錠許諾者の端末ＩＤ（ブルートゥースユニットＩＤ（ＢＴ−ＩＤ））と一致した場合にはＳ１４へ進み、一致しない場合にはＳ１へ戻って携帯電話７の装着待ち或いは送信データの受信待ち状態となる。
【００５３】
前記Ｓ６の比較結果が一致である場合には、Ｓ１４の受信コマンドが解錠か否かの判定を実施し、談判定が一致した場合にはＳ１５に進んで、施錠ユニット２８に解錠指示を出力して解錠を行うとともに、施錠ランプ２５を消灯し解錠ランプ２４を点灯した後、解錠を実施した旨の所定データを前記無線通信装置３に送信し（Ｓ１６）、Ｓ１へ戻る。
【００５４】
また、前記Ｓ１４において受信コマンドが解錠でないと判定した場合にはＳ１７に進み、受信コマンドが施錠か否かの判定を実施し、施錠である場合にはＳ１８に進んで、施錠ユニット２８に施錠指示を出力して施錠を行うとともに、施錠ランプ２５を点灯し解錠ランプ２４を消灯した後、施錠を実施した旨の所定データを前記無線通信装置３に送信し（Ｓ１９）、Ｓ１へ戻る。
【００５５】
また、リモコン８からの送信ではあり得ないが、前記Ｓ１７において受信コマンドが施錠でないと判定した場合には、前記施錠ランプ２５と解錠ランプ２４とを所定時間に渡り点滅点灯した後（Ｓ２０）、Ｓ１へ戻るようになっており、この機能は、前記無線通信装置３からの前記呼ぴ出しに対応する処理である。
【００５６】
このように、リモコン８にて施錠ボタン８２或いは解錠ボタン８３を操作することで、該リモコン８の端末ＩＤであるブルートゥースユニットＩＤ（ＢＴ−ＩＤ）が登録された全ての什器ユニット２の解錠が一斉に実施されるようになり、これら端末ＩＤを複数の什器ユニット２に登録しておくことで、１つのリモコン８にて複数の書庫１の解錠を実施できるようになっている。
【００５７】
次いで、携帯電話７を用いて解錠を行う場合について説明すると、施解錠許諾者は自分が許諾者として登録されている什器ユニット２の前記携帯電話装着部２３に携帯電話を装着する。
【００５８】
この携帯電話７の装着は、図１３のフロー図におけるステップＳ１にて検出されてＳ７へ進み、該装着された携帯電話７へ電話番号の出力要求を送出して該携帯電話７の電話番号を入手する。
【００５９】
次いで、該入手した電話番号はＳ８において前記内部メモリ２７’に登録されている端末ＩＤ（登録番号）との比較を実施し、該比較が一致した場合にはＳ９へ進んで前記施錠ユニット２８に解錠指示を出力して解錠を実施するとともに、施錠ランプ２５を消灯し解錠ランプ２４を点灯した後、携帯電話による解錠を実施した旨の所定データを前記無線通信装置３に送信し（Ｓ１０）、Ｓ１１へ進み、前記Ｓ８の判定が不一致である場合には、Ｓ１へ戻る。
【００６０】
この状態にて許諾者は前記取手２１に手を掛けて開閉扉１’を開き、内部に収容されているものを取り出したり、内部に新たな物品や書類を収納することができる。
【００６１】
これら作業が終了した場合に、許諾者は開閉扉１’を閉じた後、前記携帯電話装着部２３に装着している携帯電話７を抜き取る。この携帯電話７の抜き取りは、図１３のフロー図におけるステップＳ１１にて検出され、該検出に基づきＳ１２へ進んで、施錠ユニット２８に施錠指示を出力して施錠を行うとともに、施錠ランプ２５を点灯し解錠ランプ２４を消灯した後、施錠を実施した旨の所定データを前記無線通信装置３に送信し（Ｓ１３）、Ｓ１へ戻るようになっており、予め登録された電話番号の携帯電話７を装着することで、施解錠を実施できるようになっている。
【００６２】
これら携帯電話７や前記リモコン８による施解錠の履歴は、前述のように、解錠或いは施錠を実施する毎に、各什器ユニット２から前記無線通信装置３に対して、什器ＩＤとしてのブルートゥースユニットＩＤ（ＢＴ−ＩＤ）と、解錠或いは施錠を許諾した端末ＩＤと解錠又は施錠を示す所定データから成る施解錠履歴を送信することで、該施解錠履歴がその受信時刻とともに対応する書庫１の鍵番号に対応する施解錠履歴として前記登録され、前記ＥＥＰＲＯＭ４２に記憶される。これら登録された各書庫１毎の施解錠履歴は、前記ユーティリティプログラムの起動時において管理コンピュータ４に配信される図９に示す施錠設定画面において、各書庫１毎に設けられている「履歴」の項目を選択操作することで、図１１に示すように解錠日付と解錠時刻並びに施錠時刻と、受信した端末ＩＤから特定される解錠者並びに解錠がリモコン８、携帯電話７、コンピュータ５、鍵のいずれにて実施されたかを示す解錠方法等が表示されるようになっている。
【００６３】
また、本実施例では、前述のように携帯電話７を登録した許諾者は、自分の携帯電話を逐次持参することが必要なため、これら携帯電話を書庫１の位置まで携行せずに自分の席にて所望の書庫１の施錠を解除したい場合には、自分に割り当てられている机に設けられている前記コンピュータ５から、前記ローカルエリアネットワーク（ＬＡＮ）を通じて前記無線通信装置３にアクセスする。
【００６４】
該アクセスに基づき、無線通信装置３からは図１０に示す施解錠指示画面が配信され、該配信された施解錠指示画面において解錠或いは施錠したい書庫１の番号（鍵番号）を選択し、自分の携帯電話番号を入力するとともにパスワードを入力するとともに、解錠或いは施錠を選択することで、前記図９に示す施錠設定画面にて選択指定された書庫１の番号（鍵番号）に対応付けて登録されている許諾者の端末ＩＤと暗証番号に、入力された携帯電話番号とパスワードが一致するかの照合が実施され、照合が一致した場合には図１２に示す送信データパケットにおいて、送信先（什器）ＩＤとして選択された書庫１の番号（鍵番号）に対応付けて登録されているブルートゥースユニットＩＤ（ＢＴ−ＩＤ）が、送信元（端末）ＩＤとしては前述の特別ＩＤが使用された送信データパケットが送信される。
【００６５】
この送信データは、全ての什器ユニット２にて受信されて、図１３に示すステップＳ２にて検出されて該送信データ中の送信先（什器）ＩＤが自局のブルートゥースユニットＩＤ（ＢＴ−ＩＤ）に一致するか否かの判定が各什器ユニット２にて実施されることで、自局のブルートゥースユニットＩＤ（ＢＴ−ＩＤ）に一致する什器ユニット２のみが、送信データに付与されている施錠コマンド或いは解錠コマンドに基づき施錠又は解錠を実施する。
【００６６】
このように、本実施例では、各コンピュータ５或いは管理コンピュータ４から施錠或いは解錠したい什器を指定して、所望の什器のみの施解錠を実施できるようになっており、このようにすることは、通常において書庫１は本実施例のように、複数の書庫１が並設される場合が多いことから、施解錠を行いたい書庫１のみを選択して施解錠することは、セキュリティの面からも有用性が高いが、本発明はこれに限定されるものではなく、前記リモコン８のように、該リモコン８の端末ＩＤが登録されている全ての書庫１の施解錠が一斉に実施されるようにしても良い。
【００６７】
以上、本実施例のようにすれば、前記リモコン８やコンピュータ５並びに携帯電話７を用いて鍵の挿入等の操作を実施することなく施解錠を実施できるようになり、利用者の利便性を大幅に向上できる。
【００６８】
以上、本発明の実施例を図面に基づき説明してきたが、本発明はこれら実施例に限定されるものではなく、本発明の主旨を逸脱しない範囲における変更や追加があっても本発明に含まれることは言うまでもない。
【００６９】
例えば、前記実施例では、ブルートゥースユニット３７を搭載した無線通信装置３を各コンピュータ５や管理コンピュータが共用し得るように、ＬＡＮ接続した形態をとっているが、本発明はこれに限定されるものではなく、各コンピュータ５無にブルートゥースユニットを搭載して、各コンピュータ５から直接各什器ユニット２に対し施解錠指示を送信するようにしても良い。
【００７０】
また、前記実施例では、リモコン８を単体のものとしているが、本発明はこれに限定されるものではなく、例えば携帯電話にブルートゥースユニットを搭載することで、該携帯電話をリモコンとして使用できるようにしても良い。
【００７１】
また、前記実施例では、什器として書庫を用いた例を示すが、本発明はこれに限定されるものではなく、これら什器としては施解錠手段を有する引き出し等を備えた事務机等の什器も含まれ、内部に収容部を有して該収容部を閉鎖可能な扉や引き出し等の規制部材と、これら扉や引き出し等の規制部材の開放を抑止する施解錠手段を有する什器であれば、本発明を適用できることは言うまでもない。
【００７２】
また、前記実施例では、各什器に固有に付与された什器識別符号としてブルートゥースユニットに固有に付与されたブルートゥースユニットＩＤ（ＢＴ−ＩＤ）を用いているが、本発明はこれに限定されるものではなく、これら什器識別符号としては、什器を識別可能なものであれば使用することができる。
【００７３】
また、前記実施例では、各什器ユニット２の制御マイコン（ＭＰＵ）２７の内部メモリ２７’に施解錠許諾者が所持する端末の識別符号（端末ＩＤ）として全ての書庫１の解錠が可能な前記無線通信装置３のＢＴ−ＩＤ（後述する特別ＩＤも含む）や、施解錠許諾者の携帯電話の電話番号や施解錠許諾者のリモコン８のＢＴ−ＩＤが登録されるようになっており、該登録されたリモート端末によってのみ施解錠を実施できるようになっているが、本発明はこれに限定されるものではない。
【００７４】
また、これら端末の識別符号（端末ＩＤ）の各什器ユニット２への登録を、前記管理コンピュータ４より非接触にて実施できるようになっているが、本発明はこれに限定されるものではなく、これら登録を各リモート端末を用いて実施できるようにしたり、非接触ではなく、接続ケーブル等を接続したり、前記携帯電話装着部２３に記録媒体等を装着して登録を実施するようにしても良い。
【００７５】
また、前記実施例では、前記什器ユニット２が施解錠を実施する毎に、該施解錠の実施を前記無線通信装置３へ送信するようになっているが、本発明はこれに限定されるものではなく、これら履歴を内部にて記憶しておき、所定期間毎に外部に送信或いは出力するようにしても良い。
【００７６】
また、前記実施例では、点灯により施錠或いは解錠の状況を報知する解錠ランプ２４と施錠ランプ２５とを設けているが、本発明はこれに限定されるものではなく、これら解錠ランプ２４と施錠ランプ２５を適宜に省く構成としても良い。
【００７７】
また、これら状態報知部の形態としては、前記解錠ランプ２４と施錠ランプ２５とを設けることは、発光により遠隔にても施解錠状態を確認できることから好ましいが、本発明はこれに限定されるものではなく、各管理コンピュータ５より各什器の施解錠状態を確認できるようにして状態報知を行うようにしても良く、これら状態報知部の形態は適宜に選択すれば良い。
【００７８】
【発明の効果】
本発明は次の効果を奏する。
（ａ）請求項１の発明によれば、前記リモート端末から指令信号が送信されることで、該指令信号が前記非接触通信手段にて受信されて、前記制御手段により該指令信号の受信に基づいて施解錠手段の施解錠制御が実施されるようになるため、リモート端末を用いて解錠のみならず、施錠を遠隔にて行うことができる。そして複数の什器が並列設置されている場合においても、リモート端末より送信された什器識別符号に合致する什器の制御手段のみが前記解錠制御或いは施錠制御を実施するようになるため、所望の什器のみの解錠又は施錠を実施することができる。更に複数の什器が並列設置されている場合においても、リモート端末より送信された什器識別符号に合致する什器の制御手段のみが前記解錠制御或いは施錠制御を実施するようになるため、所望の什器のみの解錠又は施錠を実施することができる。
【００８２】
（ｂ）請求項２の発明によれば、前記管理装置にて各什器の施解錠の履歴を把握することができる。
【００８３】
（ｃ）請求項３の発明によれば、前記管理装置にて各什器の施解錠を指示したリモート端末を特定することができる。
【００８４】
（ｄ）請求項４の発明によれば、前記制御手段に不具合等が生じても、鍵を用いて施解錠を実施することができる。
【００８５】
（ｅ）請求項５の発明によれば、什器の施解錠状態を遠方からでも簡便に把握することができる。
【００８６】
（ｆ）請求項６の発明によれば、電力供給用の配線を架設する必要がなく、什器の設置やレイアウトの変更を容易に実施できる。
【００８７】
（ｇ）請求項７の発明によれば、無線通信は指向性を有しないため、什器の配置やレイアウトの自由度を向上できる。
【図面の簡単な説明】
【図１】本発明の実施例における什器解錠システムが導入されたオフィスを示す図である。
【図２】本発明の実施例における什器解錠システムの主な構成を示す図である。
【図３】本発明の実施例に用いた什器ユニットを示す外観図である。
【図４】本発明の実施例に用いた什器ユニットの構成を示すブロック図である。
【図５】本発明の実施例に用いた無線通信装置３の外観斜視図である。
【図６】本発明の実施例に用いた無線通信装置３の構成を示すブロック図である。
【図７】本発明の実施例に用いたリモコンの外観斜視図である。
【図８】本発明の実施例に用いたリモコンの構成を示すブロック図である。
【図９】本発明の実施例に用いた管理コンピュータに配信される施錠設定画面を示す図である。
【図１０】本発明の実施例に用いた各コンピュータに配信される施解錠指示画面を示す図である。
【図１１】本発明の実施例に用いた管理コンピュータに配信される解錠履歴画面を示す図である。
【図１２】本発明の実施例においてリモコン或いは無線通信装置３から送信される送信データパケットの構成を示す図である。
【図１３】本発明の実施例において什器ユニットの制御マイコンが実施する主な処理内容を示すフロー図である。
【符号の説明】
１            什器
１’          開閉扉
２            什器ユニット
３            無線通信装置
４            管理コンピュータ
５            コンピュータ
６            イーサネットケーブル
７            携帯電話
８            リモコン
２０          アンテナコイル
２１          取手
２２          シリンダ鍵挿入部
２３          携帯電話装着部
２４          解錠ランプ
２５          施錠ランプ
２６          ブルートゥースユニット
２６’        内部ＲＯＭ
２７          制御マイコン（ＭＰＵ）
２７’        内部メモリ
２８          施錠ユニット
２９          接続コネクタ
３０          ２次電池
３１          筐体
３２          ダイポールアンテナ
３３          情報表示部
３４          各種インジケータランプ
３５          液晶パネル
３６          液晶ドライバ
３７          ブルートゥースユニット
３７’        内部ＲＯＭ
３８          通信部
３９          ＲＡＭ
４０          制御マイコン（ＭＰＵ）
４１          ドライバ
４２          ＥＥＰＲＯＭ
４３          リアルタイムクロック（ＲＴＣ）
８１          樹脂筐体
８２          施錠ボタン
８３          解錠ボタン
８４          ブルートゥースユニット
８５          コントローラ
８６          ボタン電池
８７          コイルアンテナ
【図１】
0004708630.tif 000002
【図２】
0004708630.tif 000003
【図３】
0004708630.tif 000004
【図４】
0004708630.tif 000005
【図５】
0004708630.tif 000006
【図６】
0004708630.tif 000007
【図７】
0004708630.tif 000008
【図８】
0004708630.tif 000009
【図９】
0004708630.tif 000010
【図１０】
0004708630.tif 000011
【図１１】
0004708630.tif 000012
【図１２】
0004708630.tif 000013
【図１３】
0004708630.tif 000014